(57)【特許請求の範囲】
【請求項１】
管楽器の管体から突出する台座部に取り付け可能に設けられた管楽器保持用サポート部品において、
奏者の親指が接触する本体部と、この本体部に形成されて台座部を受容可能な受容部と、この受容部に弾性変形可能に設けられ、当該弾性により前記台座部の外面に圧接可能な圧接部とを備えていることを特徴とする管楽器保持用サポート部品。
【請求項２】
管楽器の管体から突出する台座部に取り付け可能に設けられたサムレストにおいて、
奏者の親指が接触する本体部と、この本体部に形成されて台座部を受容可能な受容部と、この受容部に弾性変形可能に設けられ、当該弾性により前記台座部の外面に圧接可能な圧接部とを備えていることを特徴とするサムレスト。
【請求項３】
前記圧接部は、台座部の周方向に延びる延設部材により形成されていることを特徴とする請求項２記載のサムレスト。
【請求項４】
前記受容部は、前記延設部材を収容可能な凹部を備えていることを特徴とする請求項３記載のサムレスト。
【請求項５】
前記圧接部は、前記受容部側を部分的に弾性変形可能に形成した板ばね状部からなることを特徴とする請求項２記載のサムレスト。
【請求項６】
請求項２ないし５の何れかに記載のサムレストを木管楽器の台座部に取り付ける取付構造において、
前記台座部は、前記圧接部と嵌り合う嵌合部を備えていることを特徴とするサムレストの取付構造。
【発明の詳細な説明】
【技術分野】
【０００１】
本発明は、管楽器保持用サポート部品、サムレスト及びサムレストの取付構造に係り、更に詳しくは、管楽器に装着され、奏者による管楽器の保持をサポートするための管楽器保持用サポート部品、サムレスト及びサムレストの取付構造に関する。
【背景技術】
【０００２】
従来より、サクソフォン等の木管楽器が広く利用されるに至っている。このような楽器は、特許文献１に開示されているように、奏者の左手親指が接触するサムレストを備え、このサムレストは、楽器の管体から突出する台座部に被さるように取り付けられる。同文献には、サムレストの台座部への固定方法として、接着剤を用いたり、サムレストの側面にねじ穴を設け、当該ねじ穴にねじを挿入したりすることが開示されている。
【先行技術文献】
【特許文献】
【０００３】
【特許文献１】特開平１０−２６８８６１号公報
【発明の概要】
【発明が解決しようとする課題】
【０００４】
しかしながら、接着剤を用いてサムレストを固定すると、当該サムレストを交換するときに、接着を剥離する高度な技術が必要になる。このため、専門的な技術や熟練した技能を有する技術者でなければサムレストの交換を行えなくなるばかりでなく、当該技術者であっても長時間で多大な労力が強いられる、という不都合がある。この結果、種々のサムレストに交換する楽器のカスタマイズ等の要求に対応することが困難になる、という不都合を招来する。
また、ねじを用いてサムレストを固定した場合、演奏中の振動によりねじが緩んでしまい、サムレストが台座部から外れて不用意に落下してしまう、という不都合もある。
【０００５】
［発明の目的］
本発明は、このような不都合に基づいて案出されたものであり、その目的は、交換作業の容易化を図ることができ、且つ、不用意なる落下を防止することができる管楽器保持用サポート部品、サムレスト及びサムレストの取付構造を提供することにある。
【課題を解決するための手段】
【０００６】
前記目的を達成するため、本発明は、管楽器の管体から突出する台座部に取り付け可能に設けられたサムレスト等の管楽器保持用サポート部品において、
奏者の親指が接触する本体部と、この本体部に形成されて台座部を受容可能な受容部と、この受容部に弾性変形可能に設けられ、当該弾性により前記台座部の外面に圧接可能な圧接部とを備える、という構成を採っている。
【０００７】
本発明において、前記圧接部は、台座部の周方向に延びる延設部材により形成される、という構成を採ることができる。
【０００８】
また、前記受容部は、前記延設部材を収容可能な凹部を備える、という構成を採ってもよい。
【０００９】
更に、前記圧接部は、前記受容部側を部分的に弾性変形可能に形成した板ばね状部からなる、という構成を採ることができる。
【００１０】
また、本発明は、請求項１ないし４の何れかに記載のサムレストを木管楽器の台座部に取り付ける取付構造において、
前記台座部は、前記圧接部と嵌り合う嵌合部を備える、という構成を採っている。
【発明の効果】
【００１１】
本発明によれば、圧接部が弾性を介して台座部に圧接するので、圧接部と台座部との摩擦力を大きく保ちつつ、演奏等によって台座部や本体部が振動しても当該振動を圧接部で吸収でき、振動の影響によるサムレスト等の管楽器保持用サポート部品の不用意な落下の防止を図ることができる。特に、ねじを用いてサムレストを取り付けた場合、振動の影響によりねじが緩んだ場合でも、圧接部と台座部との摩擦によってサムレストの不用意なる落下を未然に回避することが可能となる。しかも、接着剤を使用せずに圧接部と台座部との摩擦でサムレストの装着状態を維持でき、且つ、その摩擦に抗して意図的な外力を付与して台座部からサムレストを取り外すことが可能となる。これにより、サムレストを交換する際に、接着剤を剥離する作業を省略可能となり、接着剤を用いた際の特別な技術を要することなく交換作業を簡単且つ短時間で行うことができ、カスタマイズの多様なニーズに容易に応じることが可能となる。
【００１２】
また、台座部の周方向に延びる延設部材により圧接部を形成した場合、当該圧接部の構造の簡略化を図ることができる他、受容部と台座部との間に延設部材を介在することで圧接部を台座部に簡単に圧接することが可能となる。
【００１３】
更に、延設部材を収容可能な凹部を有するので、延設部材を受容部内で容易に位置決めでき、サムレストの取付作業を容易且つ迅速に行うことが可能となる。また、受容部内での延設部材の位置を一定に保って弾性を安定して発揮可能となり、サムレストの落下をより一層安定的に防止することが可能となる。
【００１４】
また、圧接部が板ばね状部により形成した場合、本体部及び受容部に対して圧接部を一体に連なって形成でき、部品点数の削減を通じて、サムレストの交換の作業性や取扱性の向上を図ることが可能となる。
【００１５】
更に、台座部が圧接部と嵌り合う嵌合部を有する場合、圧接部と嵌合部との嵌り合いによりサムレストの意図しない変位を規制可能となり、サムレストの落下をより良く回避することが可能となる。
【図面の簡単な説明】
【００１６】
【図１】実施形態に係るサムレストを木管楽器に装着する要領を示す概略斜視図。
【図２】図１のＡ−Ａ線矢視部分断面図。
【図３】図２のＢ−Ｂ線矢視断面図。
【図４】前記サムレストを下から見た概略斜視図。
【図５】第２実施形態に係るサムレストの図４と同様の斜視図。
【図６】第２実施形態に係るサムレストの底面図。
【図７】図６のＣ−Ｃ線矢視断面図。
【図８】図６のＥ−Ｅ線矢視断面図。
【図９】変形例に係るサムレスト及び台座部の図２と同様の部分断面図。
【発明を実施するための形態】
【００１７】
以下、本発明の好ましい実施の形態について図面を参照しながら説明する。
なお、本明細書において、特に明示しない限り、「上」、「下」は、図１及び図２を基準として用いる。
【００１８】
［第１実施形態］
図１〜図４において、管楽器保持用サポート部品としてのサムレスト１０は、サクソフォンＳの管体Ｓ１から突出するように設けられた円筒状の台座部Ｄをカバーするように装着される。サムレスト１０は、奏者の親指が接触する本体部１１と、この本体部１１の下面側を凹ますように形成され（図２参照）、台座部Ｄの上端側を受容可能な受容部１２と、この受容部１２内に設けられる圧接部１４とを備えて構成されている。
【００１９】
前記本体部１１は、台座部Ｄの上面上に位置する平面視円形の頂壁１６と、この頂壁１６の外周側に連設された周壁１７とを備えている。周壁１７の下端面は、前記管体Ｓ１の外周面に沿う湾曲形状に形成されている。周壁１７には、ねじ穴１９が形成されている。このねじ穴１９は、周壁１７を貫通して台座部Ｄの径方向に延び、六角穴付き止めねじからなるねじ部材２０を螺合可能となっている。
【００２０】
前記受容部１２は、前記頂壁１６及び周壁１７の内面によって形成され、下部を開口した形状に設けられている。受容部１２の開口径ｄ１は、台座部Ｄの外径ｄ２と同一、又は、当該外径ｄ２より若干大きく設定されている。受容部１２における周壁１７の内面側には、その周方向に延びる凹部２２が形成され、当該凹部２２内に前記圧接部１４を収容可能に設けられている。
【００２１】
前記圧接部１４は、台座部Ｄの周方向に延びる平面視Ｃ字状に形成された延設部材２５により構成されている。延設部材２５は、弾性変形可能な素材により構成され、意図的な外力を付与することで、その両端を離間接近して内径ｄ３が拡縮可能となっている。延設部材２５の内径ｄ３は、無負荷状態で台座部Ｄの外径ｄ２より若干小さく形成されている。これにより、延設部材２５の内側に台座部Ｄを挿入すると、延設部材２５の内径ｄ３が拡大するように弾性変形し、延設部材２５の弾性により、その内周面が台座部Ｄの外面に圧接可能となる。延設部材２５の太さは、凹部２２の幅及び深さと略同一に設定され、当該凹部２２内に収容可能となっている。
【００２２】
次に、前記サムレスト１０の取り付け及び取り外し方法について説明する。
【００２３】
サムレスト１０を台座部Ｄに取り付ける場合、先ず、図４に示されるように、受容部１２内に延設部材２５を挿入し、当該延設部材２５がねじ穴１９と重ならないように延設部材２５を凹部２２に収容した状態（図２及び図３参照）とする。これにより、受容部１２内において延設部材２５が上下方向で位置決めされて本体部１１と圧接部１４とが一体的に取り扱い可能となり、且つ、延設部材２５の内面側が受容部１２の内面から突設した状態となる。
【００２４】
次いで、図２に示されるように、台座部Ｄの上方をサムレスト１０でカバーするように、台座部Ｄの上端側に受容部１２を挿入する。すると、延設部材２５の内径ｄ３が台座部Ｄの外径ｄ２より若干小さくなるので、台座部Ｄ上端と延設部材２５とが接触した状態となるが、この状態からサムレスト１０に意図的な外力を付与して下方に押し込む。これにより、延設部材２５の内径ｄ３が拡大するように弾性変形し、当該延設部材２５が台座部Ｄの外面に擦れつつ本体部１１と共に下方に移動し、台座部Ｄ上端上に頂壁１６の下面１８が載置される。このとき、延設部材２５の弾性により、当該延設部材２５が台座部Ｄを締め付けるような力が作用して台座部Ｄ外面に延設部材２５の内面が圧接する。これにより、延設部材２５の内面側から台座部Ｄ外面に対し、台座部Ｄの中心方向の力を付与して当該台座部Ｄと延設部材２５との摩擦力を高めるようになっている。
【００２５】
その後、所定の工具を用いてねじ部材２０をねじ穴１９にねじ込み、当該ねじ部材２０の先端を台座部Ｄ外面に押し当てることで、サムレスト１０の取り付けが完了する。
【００２６】
一方、サムレスト１０を台座部Ｄから取り外す場合、ねじ部材２０を緩めた後、サムレスト１０に意図的な外力を付与し、台座部Ｄと延設部材２５との摩擦力に抗して受容部１２から台座部１２を引き抜けばよい。
【００２７】
従って、このような実施形態によれば、演奏時等の振動によりねじ部材２０が意図することなく緩んだ場合でも、延設部材２５の弾性により台座部Ｄを把持するようになり、ねじ部材２０による保持力がなくなったと同時に、サムレスト１０が脱落することを防止することが可能となる。ここで、サムレスト１０の自重に対して延設部材２５の弾力が小さく作用すると、ねじ部材２０が緩んだときに、振動によって延設部材２５と台座部Ｄとが擦れながらサムレスト１０が外れる方向に徐々にずれてくる場合がある。この場合、サムレスト１０が台座部Ｄから脱落するまでの時間を長く稼ぐことができ、その間に、サムレスト１０のずれ、ひいては、ねじ部材２０の緩みに奏者が気付くよう喚起してサムレスト１０の不用意なる落下を未然に回避可能となる。
【００２８】
また、前述のようにサムレスト１０の脱落防止を図ることができるので、接着剤を使用せずにサムレスト１０を容易に着脱することが可能となる。これにより、接着剤を使用した際の困難な剥離作業を省略でき、サムレスト１０の交換が簡単に行えるようになってサクソフォンＳをカスタマイズする奏者のニーズに無理なく対応することが可能となる。更に、接着剤の使用を省略したので、接着剤樹脂に起因する音質劣化をなくすことができ、演奏時の音質を良好に保つことができる。
【００２９】
［第２実施形態］
次に、本発明の第２実施形態を、図５〜図８を用いて説明する。なお、以下の説明において、前記第１実施形態と同一若しくは同等の構成部分については必要に応じて同一符号を用いるものとし、説明を省略若しくは簡略にする。
【００３０】
第２実施形態の圧接部１４は、前記受容部１２側を部分的に弾性変形可能に形成した一対の板ばね状部３０からなる。当該板ばね状部３０は、周壁１７のねじ穴１９と反対側において、周壁１７の一部を抉り取るように切削加工することにより形成される。具体的には、周壁１７の厚み方向中間部を周方向所定幅に亘って、当該周壁１７の下面から凹部２２の上下方向中間位置まで凹ませるように切削し、更に、この凹ませた部分と受容部１２内とを連通する隙間ＳＰを形成ように切削する。これにより、板ばね状部３０は、隙間ＳＰ側が先端となって当該先端が図６中矢印方向に揺動するよう弾性変形可能な一対の薄片状に形成される。また、各板ばね状部３０は、無負荷状態において、底面視で円形となる受容部１２内面から先端側が内方に出っ張った状態が維持されるよう曲げ変形される。これにより、意図的な外力を付与して受容部１２内に台座部Ｄを挿入したときに、各板ばね状部３０が弾性変形して台座部Ｄの外面を押さえ付けるように圧接し、当該板ばね状部３０を介して台座部Ｄを挟持する。
【００３１】
従って、このような第２実施形態によっても、ねじ部材２０が意図することなく緩んでも、板ばね状部３０及び受容部１２内面と台座部Ｄとの摩擦により、第１実施形態と同様にサムレスト１０が脱落することを防止することが可能となる。また、圧接部１４が本体部１１と別部品となることなく一体に形成でき、サムレスト１０の取り付け作業をより簡単に行うことが可能となる。
【００３２】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、図９に示されるように、第１実施形態の台座部Ｄの構成を変更してもよい。同図の台座部Ｄは、延設部材２５の内周側を部分的に受容して嵌り合う周溝からなる嵌合部Ｄ１を備えている。当該嵌合部Ｄ１により、サムレスト１０と台座部Ｄとの相対移動を規制する作用を得ることができ、サムレスト１０の落下をより良く防止することができる。
【００３４】
前記各実施形態において、圧接部１４の弾性による力を大きく設定し、ねじ穴１９及びねじ部材２０を省略した構成としてもよい。この場合、演奏等によって台座部Ｄ及びサムレスト１０が振動しても、当該振動を圧接部１４の弾性によって吸収可能となり、振動に起因するサムレスト１０の落下防止を図ることができる。
【００３５】
前記延設部材２５は、台座部Ｄの形状に応じて平面形状を変更してもよく、また、帯状や線状に延びる部材を曲げ加工したような形態としてもよい。
【００３６】
前記板ばね状部３０は、サムレスト１０全体を射出成形等の成形方法により、受容部１２側に一体に連ねて形成してもよい。
【００３７】
前記第２実施形態の凹部２２は、受容部１２の全周に設けなくてもよく、板ばね状部３０の形成領域に少なくとも形成すればよい。
【００３８】
本発明は、サクソフォンＳ以外の管楽器に適用することができ、また、管楽器の保持をサポートするために用いられるサムレスト以外の部品に適用してもよい。
【００３９】
前記板ばね状部３０の形成数は、一対に限られず、一枚としたり、三枚以上の複数としたりしてもよい。
【符号の説明】
【００４０】
１０・・・サムレスト、１１・・・本体部、１２・・・受容部、１４・・・圧接部、２２・・・凹部、２５・・・延設部材、３０・・板ばね状部、Ｄ・・・台座部、Ｄ１・・・嵌合部、Ｓ・・・サクソフォン（管楽器）
【図１】
0005803477.tif 000002
【図２】
0005803477.tif 000003
【図３】
0005803477.tif 000004
【図４】
0005803477.tif 000005
【図５】
0005803477.tif 000006
【図６】
0005803477.tif 000007
【図７】
0005803477.tif 000008
【図８】
0005803477.tif 000009
【図９】
0005803477.tif 000010